(57)【要約】【課題】腹部の締め付け、通気性が悪く臀部の体型をカバーできない形状、鼠径部や太もも周りの締め付け、以上３つの問題を解消するショーツを提供する。【解決手段】骨盤下部位置、つまり、上前腸骨棘と大転子の間に、高さ３〜７ｃｍの筒編みされた筒状の無縫製の生地が、水平に位置する設計で、前記筒状の無縫製の生地を伸ばしながら、低伸縮性の生地と縫合することにより、身ごろ上部にギャザーを寄せ、左右脚ぐりは、ゴムを設けず、鼠径部や太もも周りを締め付けないために十分な開口面積を持たせることを特徴とするショーツである。【選択図】図２
2019218670.tif 000002
【特許請求の範囲】
【請求項１】
伸縮性のあるベルト部と、身ごろと、クロッチとを備えるショーツにおいて、前記ベルト部は、筒編みされた筒状の無縫製の生地で形成され、その高さは、着用時に上前腸骨棘と大転子の間に収まる３〜７ｃｍであり、前記身ごろは、低伸縮性の生地より縫製され、前記身ごろの上縁の幅は、平置き時のベルト部の幅の１８０％〜３００％の長さを有し、左右脚ぐりは、ゴムを設けず、鼠径部や太もも周りを締め付けないために十分な開口面積を持たせることを特徴としたショーツ。
【請求項２】
ベルト部と身ごろの形状の違いを生かして、花の形にデコレーションすることができる請求項１に記載のショーツ。
【発明の詳細な説明】
【技術分野】
【０００１】  この発明は、筒編みされた筒状の無縫製の生地に、低伸縮性の生地を縫合したショーツに関する。
【背景技術】
【０００２】  従来の女性用ショーツの形状は、以下の２か所を、ストレッチテープ、レース状のゴム、身ごろに通したゴムやひもなどで締め付けることにより、身体からずり落ちない仕組みになっている。
１  腹部開口部
２  脚ぐり
１については、上記以外の方法として、腹巻を身ごろに縫合する形状のショーツが提案されている。
【先行技術文献】
【特許文献】
【０００３】
【特許文献１】特開２０１３−１３９６５８
【発明の概要】
【発明が解決しようとする課題】
【０００４】  しかしながら、上記特許文献１で開示されている技術は、図５に示すように、腹巻１を身ごろの上縁に縫合し、腹巻とショーツが一体化したものであり、骨盤位置で履くローライズショーツとして使用することができない。
腹部で支える設計のため、内臓、特に妊婦の場合は胎児への圧迫が懸念されるとともに、脚ぐりが、鼠径部・太もも周りに密着する形状のため、血管やリンパへの締め付けが起きる。
また、一般的なローライズショーツのベルト部は、内臓を締め付けないメリットがある一方、縫い目がある、化繊率が高い、ゴム幅が狭く安定しないなどの理由で皮膚への不快感が避けられない。【０００５】  また、前記先行技術をはじめ、一般的なショーツでは、身ごろ生地は、ほとんどがストレッチ性のあるニット地で、身体にフィットする形状になっており、通気性に欠けるとともに、臀部の体型をカバーできない。【０００６】  さらに、前記先行技術をはじめ、一般的なショーツでは、脚ぐりに伸縮性のあるゴムや生地を用いる形状がほとんどであり、鼠径部・太もも周りの締め付けが発生する。【０００７】  そこで本発明は、前記腹部の締め付け、通気性が悪く体型をカバーできない形状、鼠径部や太もも周りの締め付け、以上３つの問題を解消するショーツを提供する。
【課題を解決するための手段】
【０００８】  骨盤下部位置、つまり、上前腸骨棘と大転子の間に、高さ３〜７ｃｍの筒編みされた筒状の無縫製の生地が、水平に位置する設計で、前記筒状の無縫製の生地を伸ばしながら、低伸縮性の生地と縫合することにより、身ごろ上部にギャザーを寄せ、左右脚ぐりは、ゴムを設けず、鼠径部や太もも周りを締め付けないために十分な開口面積を持たせることを特徴とするショーツである。
【発明の効果】
【０００９】  ベルト部が、骨盤位置にくることにより、柔らかい皮膚や内臓を圧迫せず、天然素材が高比率の、筒編みされた筒状の無縫製の生地が素肌に柔らかくフィットし、ゴム跡がつかないため、妊婦や肌の弱い方にも快適である。【００１０】  身ごろの上縁にギャザーを寄せ、左右脚ぐりまでを開放的な設計にすることにより、臀部の体型をカバーし、美しいシルエットを実現できる。【００１１】  通気性に優れ、鼠径部や太ももを締めつけないため、血行を阻害せず、冷えを招かないという利点がある。【００１２】  また、販売時は、ベルト部と身ごろの形状の違いを生かして、花の形にデコレーションすることができる。【００１３】  したがって、本発明によれば、前記腹部の締め付け、通気性が悪く臀部の体型をカバーできない形状、鼠径部や太もも周りの締め付け、以上３つの問題を解消するショーツを提供できる。
【図面の簡単な説明】
【００１４】
【図１】この発明の一実施形態を示す背面斜視図である。
【図２】この発明の一実施形態を示す正面斜視図である。
【図３】この発明の着用位置を示す正面斜視図である。
【図４】この発明の各部の比率を示す平置き図である。
【図５】従来技術を示す正面図である。
【図６】この発明のパッケージ用デコレーションを示す写真である。
【発明を実施するための形態】
【００１５】  本発明は、骨盤下部位置に着用する筒編みされた筒状の無縫製の生地でできたベルト部の快適なフィット感と、前記ベルト部を低伸縮性の身ごろ生地に縫合し、ギャザーを生じさせ、かつ脚ぐりは締め付けない設計とすることで、内臓や血管・リンパの解放性、下腹部の通気性、臀部の体型カバーを実現するものである。
【００１６】  本発明の一実施形態を図面に基づき説明する。ただし本発明は、以下の例に限定及び制限されない。
【００１７】  本発明を適用したショーツは、図１に示すように、ベルト部５、前身ごろ３−６、後ろ身ごろ３−７、クロッチ８の４つの部分で構成される。
【００１８】  身ごろ３は、前身ごろ３−６、後ろ身ごろ３−７から構成され、本実施例においては、綿１００％の布帛、ダブルガーゼ生地を用いる。
【００１９】  ベルト部５は、筒編みされた筒状の無縫製の生地を用いる。
【００２０】  前記ベルト部５は、本実施例においては、綿７０％・シルク２０％・ナイロン７％・ポリウレタン３％の生地を用いる。
【００２１】  仕上がり時の高さが３〜７ｃｍのベルト部が、着用した際に、上前腸骨棘と大転子の間に位置するように、逆算して、身ごろとクロッチの丈を設定する。
【００２２】  前記ベルト部の高さは、３ｃｍ以下では、着用時に撚れやすく、７ｃｍ以上では、着用時に上前腸骨棘と大転子の間に収まりづらい。よって３〜７ｃｍが望ましい。
【００２３】  クロッチ８は、本実施例においては、外側は身ごろ３と同じダブルガーゼ、肌側はオーガニックコットン１００％の天竺生地を用い、二重の生地で構成される。
【００２４】  図４に示すように、身ごろの上縁３ａの幅１１は、平置き時のベルト５の幅１０に対し、１８０％〜３００％の幅を有する。
【００２５】  前記身ごろ上縁３ａの幅１１が、平置き時のベルト部５の幅１０の３００％以上の長さを有する場合は、ギャザー量が過剰でショーツの形状として適さない。一方、前記１１が、前記１０の長さの１８０％以下である場合は、ギャザー量が過少で、鼠径部や太もも周りを締めつけず、通気性を持たせるための、脚ぐりの開口面積を確保できない。
【００２６】  身ごろ最下部の脚ぐり４は、伸縮性の素材を用いず、身ごろ上部のギャザーが連続して広がる設計である。
【００２７】  上記のようなショーツの製造は、次のようにして行う。
すなわち、まず各パーツの裁断を行い、クロッチ８と前身ごろ３−６と後ろ身ごろ３−７とクロッチの肌側の布とを縫合し、次に前身ごろ３−６と後ろ身ごろ３−７の脇を縫合する。
【００２８】  前身ごろ３−６、後ろ身ごろ３−７は、それぞれに、上部にギャザーを寄せ、平置きした時のベルト部の幅の２分の１ずつに対応するように縫合する。
【００２９】  ベルト部５の生地に編み込まれている弾性糸が生地の表面に出ていない方の面が、外側に来るように二つ折りにし、身ごろ３の上部にかぶせて縫い付ける。ほかに随時、縁の三つ折り縫いや、縁かがり縫い等の手順が発生する。
【００３０】  この発明の使用方法として、ベルト５が、上前腸骨棘と大転子の間に位置するように着用することが推奨される。
【００３１】  この発明におけるショーツは、特に女性用に意図されるが、子どもまたは男性用製品への適用も含む。
【符号の説明】
【００３２】  先行技術文献
１  腹部開口部
２  脚ぐり
本発明
３  身ごろ部
３−６  前身ごろ
３−７  後ろ身ごろ
３ａ  身ごろの上縁
４  脚ぐり
５  ベルト部
８  クロッチ
９  ベルト部の着用位置
１０  平置き時  ベルト部の幅
１１  平置き時  身ごろの上縁の幅
【図１】
2019218670.tif 000003
【図２】
2019218670.tif 000004
【図３】
2019218670.tif 000005
【図４】
2019218670.tif 000006
【図５】
2019218670.tif 000007
【図６】
2019218670.tif 000008